(57)【要約】【課題】部屋のコーナー部に壁面を傷つけずに取付けることができ、且つ簡単に取外せる生活雑貨を提供する。【解決手段】コーナー貼付用生活雑貨１は、部屋のコーナー部を構成する壁面Ｗに剥離容易に貼着される壁保護シートＱと、壁保護シートＱに貼着する剥離自在及び再貼付自在な貼付面３を有する雑貨本体２とからなる。壁保護シートＱの一方の面は粘着剤によって壁面Ｗに貼着され、他方の面は平滑面４であるとともに、雑貨本体２の貼付面３はミクロ吸盤が多数形成されていて、このミクロ吸盤が平滑面４に吸着する。【選択図】図２
0003192169.tif 000002
【実用新案登録請求の範囲】
【請求項１】
隣接した壁面が形成する部屋のコーナー部に貼り付けられる生活雑貨であって、
該コーナー部を構成する壁面に剥離容易に貼着される壁保護シートと、
該壁保護シートに貼着する剥離自在及び再貼付自在な貼付面を有する雑貨本体とからなることを特徴とするコーナー貼付用生活雑貨。
【請求項２】
前記壁保護シートの一方の面は粘着剤によって壁面に貼着され、他方の面は平滑面であるとともに、
前記雑貨本体の貼付面には前記平滑面に吸着するミクロ吸盤が形成されていることを特徴とする請求項１に記載のコーナー貼付用生活雑貨。
【請求項３】
前記壁保護シートの一方の面は粘着剤によって剥離自在及び再貼付自在に壁面に貼着され、他方の面は面ファスナーが設けられているとともに、
前記雑貨本体の貼付面は前記面ファスナーに相対する面ファスナーを有することを特徴とする請求項１に記載のコーナー貼付用生活雑貨。
【請求項４】
前記雑貨本体には、物品を収容するボックス、物品を載せる棚、物品を吊り下げるフック、時計に代表される単品で機能する雑貨を含むことを特徴とする請求項１〜３のいずれか１に記載のコーナー貼付用生活雑貨。
【考案の詳細な説明】
【技術分野】
【０００１】
部屋のコーナー部に壁面を傷つけずに取付けることができ、且つ簡単に取外すことができる生活雑貨に関する。
【背景技術】
【０００２】
日本の家屋は、狭い土地に建てられていることがほとんどであって、一部屋の面積が狭いのが実情である。この狭い部屋の空間を有効活用するためにいろいろな工夫が生まれてくる。例えば、部屋の隣接壁面が交わるコーナー凹部（以下、「コーナー部」）に棚などを取付けることもその一つであって、これに関連するアイデアが複数特許出願あるいは実用新案登録出願されている。
特許文献１〜３はこれらの出願の一部である。
【０００３】
特許文献１には、壁面を傷つけることなく、コーナー壁面へ簡単に取付けできる「コーナー用のつっぱり棒」が開示されている。
特許文献２には、壁面に対して棚を取付けるための加工処理を必要としない「コーナー棚」が開示されている。
特許文献３には、室内のコーナー部の空間を有効に利用し、壁面へ簡単に取付けることができる「コーナー用棚」が開示されている。
【先行技術文献】
【特許文献】
【０００４】
【特許文献１】特開２０１４−７３３３９号公報
【特許文献２】特開２０１１−６２２８６号公報
【特許文献３】特開平５−２４５０１０号公報
【考案の概要】
【考案が解決しようとする課題】
【０００５】
特許文献１〜３に記載の発明はいずれも、釘やビスなどの取付け加工を行わずにコーナー部に棚などを簡単に取付けることを目的としている。
しかしながら、特許文献１に記載の「コーナー用のつっぱり棒」は、壁面から落ちにくくするための摩擦部材と、壁面に対して圧力をかける伸縮部と、伸縮部を操作するためのハンドル部とを有し、構造が複雑である。そのため、製造の手間とコストがかかる。また、取付ける際に、摩擦部材を壁面にぴったり合わせないと、つっぱり棒が壁面から落下するので、目視で確認しながらの慎重な取付作業を要する。
特許文献２に記載の「コーナー棚」は、付勢部材と係止部材と摩擦部材とから構成されており、付勢部材の付勢力で摩擦部材をコーナー凹部の各壁面に押し付けて係止させることにより、棚をコーナー凹部に取付けることができる。そして、付勢部材の中間部に物品を載せると、係止部材に貼り付けられた摩擦部材と壁面の間に生ずる摩擦力が抗力として働き、棚の落下が抑止され、棚の付勢部材の中間部で物品を保持できる。このように特許文献２の「コーナー棚」は複雑で独特の構造を有しているので、製造の手間とコストがかかる。また、特許文献２の技術は、棚以外の物品（例：ボックス、フック、時計など）に利用するには適さない。
特許文献３に記載の「コーナー用棚」は、棚板の裏面に止め具と付勢手段を設け、止め具の先端にある固着手段を付勢力で壁面に向かって突出させることにより、壁面に固定するものである。特許文献１・２と同様やはり構造が複雑であって、棚以外の物品一般に特許文献３の技術を利用することは適さない。また、固着手段として吸盤あるいは針を用いるが、針を使う場合、針を壁面に突き刺すので壁面が傷つくという致命的な欠点がある。
【０００６】
このような問題点に鑑み、本考案は、構造が極めて単純であって、壁面を傷つけたり汚したりせずにコーナー部の壁面に取付けたり取外したりが何度でもできる多様な種類の生活雑貨を提供することを目的とする。
【課題を解決するための手段】
【０００７】
上記の目的を達成するために、請求項１に係る考案は、
隣接した壁面が形成する部屋のコーナー部に貼り付けられる生活雑貨であって、
該コーナー部を構成する壁面に剥離容易に貼着される壁保護シートと、
該壁保護シートに貼着する剥離自在及び再貼付自在な貼付面を有する雑貨本体とからなることを特徴とする。
これにより、壁面に孔を空けてビス留め等する必要が無いので、マンションの鉄筋コンクリート壁や浴室のタイル壁等にも雑貨を取付けることができ、壁面が傷つかない。また、壁面に壁保護シートを貼り、これに雑貨本体の２つの側面を当接させるだけでコーナー部に固定できるので、誰でも容易に取付けができる。さらに、雑貨本体の貼付面は壁保護シートの表面に対して剥離自在及び再貼付自在に接着できるので、取外したり取付けたりが何度でもできる。他のコーナー貼付用生活雑貨に取り替えることもできる。
【０００８】
請求項２に係る考案は、請求項１に記載のコーナー貼付用生活雑貨であって、
壁保護シートの一方の面は粘着剤によって壁面に貼着され、他方の面は平滑面であるとともに、
前記雑貨本体の貼付面には前記平滑面に吸着するミクロ吸盤が形成されていることを特徴とする。
ミクロ吸盤（登録商標）は、吸盤の役割を果たす微小な陥没穴であって、軽く押圧するだけで対象物に吸着させることができる。貼付面にはこのミクロ吸盤が多数形成されているので、壁保護シートの平滑面に押し付けるだけで確実に貼付できる。また、ミクロ吸盤は接着剤などを用いていないので、貼付面を平滑な被貼付面から簡単に剥がすことができる。そのうえ、ミクロ吸盤の吸着力はほとんど低下しないので、貼付面を平滑面に吸着したり剥がしたりが何度でもできる。
【０００９】
請求項３に係る考案は、請求項１に記載のコーナー貼付用生活雑貨であって、
壁保護シートの一方の面は粘着剤によって剥離自在及び再貼付自在に壁面に貼着され、他方の面は面ファスナーが設けられているとともに、
前記雑貨本体の貼付面は前記面ファスナーに相対する面ファスナーを有することを特徴とする。
面ファスナーは剥離と再貼付が自在にできるので、生活雑貨の取付けや取外しが何度でもできる。
【００１０】
請求項４に係る考案は、請求項１〜３のいずれか１に記載のコーナー貼付用生活雑貨であって、
雑貨本体には、物品を収容するボックス、物品を載せる棚、物品を吊り下げるフック、時計に代表される単品で機能する雑貨を含むことを特徴とする。
このように、各種の生活雑貨をコーナー部に簡単に取付けることができるので、従来活用されることの少なかったコーナー部を有効に利用できる。
【考案の効果】
【００１１】
部屋のコーナー部の壁面に貼り付けるだけよいので、ビスや釘などで壁面に孔を空けることのできない鉄筋コンクリートやタイルの壁面にも取付けることができる。
生活雑貨の取付けと取外しが容易であり、且つ何度でもできるので、部屋の模様替えなどに応じて取付け箇所を変更できる。
【図面の簡単な説明】
【００１２】
【図１】本考案の実施の形態を説明する図である。
【図２】実施例１の生活雑貨（容器）を（ａ）コーナー部に貼付する前の状態と、（ｂ）コーナー部に貼付して内部に物を収容した状態を示す斜視図である。
【図３】実施例１の生活雑貨の変形例を示す斜視図である。
【図４】実施例２の生活雑貨（棚）を（ａ）コーナー部に貼付する前の状態と、（ｂ）コーナー部に貼付した状態を示す斜視図である。
【図５】実施例２の生活雑貨の変形例を示す斜視図である。
【図６】実施例３の生活雑貨（吊り下げフック）を（ａ）コーナー部に貼付する前の状態と、（ｂ）コーナー部に貼付して袋を吊り下げた状態を示す斜視図である。
【図７】実施例４の生活雑貨（時計）を（ａ）コーナー部に貼付する前の状態と、（ｂ）コーナー部に貼付した状態を示す斜視図である。
【図８】本考案の他の実施の形態を説明する図である。
【考案を実施するための形態】
【００１３】
以下、本考案の実施の形態を、図１に従い説明する。
本考案のコーナー貼付用生活雑貨（以下、「生活雑貨」）は、雑貨本体と本体取付シートＰと壁保護シートＱとから構成される。
【００１４】
本体取付シートＰの一方の面は固着面Ｐ１であり、他方の面はミクロ吸盤面Ｐ２である。固着面Ｐ１には粘着力が強い粘着剤が一面に貼付されており、この粘着剤によって固着面Ｐ１は雑貨本体に剥離不可に固着される。ミクロ吸盤面Ｐ２にはきわめて多数の微小な吸盤が形成されている。
なお、裏面に粘着剤が貼付され、表面に極めて多数のミクロ吸盤が形成されたシートが市販されているので、これを本体取付シートＰとして利用すればよい。
本考案の生活雑貨を販売する際は、雑貨本体に本体取付シートＰが剥離不可の状態で貼着済みであることが通常である。そこで、以下の説明では、雑貨本体と本体取付シートＰとを一体とみなし、ミクロ吸盤面Ｐ２を「（雑貨本体の）貼付面」という。
【００１５】
壁保護シートＱの一方の面は粘着面Ｑ１であり、他方の面は平滑面Ｑ２である。粘着面Ｑ１には粘着剤が貼付されており、この粘着剤によって粘着面Ｑ１は壁面Ｗに剥離自在に貼着される。平滑面Ｑ２は、雑貨本体の貼付面に形成されたミクロ吸盤が吸着される面であり、以下の説明では「被貼付面」ともいう。
【００１６】
本考案の生活雑貨を部屋のコーナー部に取付ける際、壁保護シートＱは、壁面Ｗに貼着される。雑貨本体の貼付面を壁保護シートＱに押し付けるように貼り付ける。雑貨本体の貼付面に形成された多数のミクロ吸盤が壁保護シートＱの平滑面Ｑ２に吸着し、この吸着力で雑貨本体をコーナー部の壁面Ｗに保持することができる。
ミクロ吸盤は平滑な被貼付面に吸着させたり、剥がしたりが自在にできるので、雑貨本体をコーナー部の壁面Ｗに取付け・取外しが自由にできる。また生活雑貨を除去するときは、不要となった壁保護シートＱも壁面Ｗから容易に剥離できる。そのため、生活雑貨を除去するときに、壁面を傷つけたり汚したりすることがない。なお、壁保護シートＱは、使い捨てでもよいが、粘着面Ｑ１が剥離可能且つ再貼付可能であれば、繰り返して使うことができる。
【００１７】
ここで、壁保護シートＱの役割について説明する。
ミクロ吸盤は、ガラス、金属、木質材など多くの素材に貼ることができるが、素材（例：コンクリート）によっては下地処理が必要となることがある。しかし、壁保護シートＱを貼ることによって、壁面Ｗに下地処理を施すことを省略できる。また、平滑な面であるならば、ミクロ吸盤を押し付けたときに微小な陥没穴内部の空気が抜けるので、確実に吸盤作用が得られる。
【００１８】
次に、本考案の実施の形態を実施例にしたがって説明する。
本考案の生活雑貨は、コーナー部に貼付できることを条件に、多種多様なものが考えられる。以下、雑貨本体が物品を内部に収容するタイプ（実施例１）、物品を上部に載せるタイプ（実施例２）、物品を下側に吊り下げるタイプ（実施例３）、単品で機能するタイプ（実施例４）について説明する。
下記のいずれの実施例においても、雑貨本体は本体取付シートＰが固着しており、コーナー部の壁Ｗに当接する貼付面にはミクロ吸盤が形成されている。
【００１９】
《実施例１》
この実施例の生活雑貨１は、図２（ａ）に示すように壁保護シートＱと雑貨本体２とから構成され、雑貨本体２は内部に物品を収容できる容器である。
【００２０】
雑貨本体２は、壁保護シートＱを介して壁面Ｗに当接する２つの貼付面３を有する。コーナー部で隣接する壁面Ｗはたいてい直角をなすので、２つの貼付面３同士のなす角は直角である。
貼付面３のほぼ全体は本体取付シートＰによってが覆われているので、貼付面３の表面にはミクロ吸盤が多数形成されている。
【００２１】
生活雑貨１のコーナー部への取付けは次のようにする。
まず、壁保護シートＱの粘着面Ｑ１を覆っている剥離紙（図示せず）を剥がし、壁面Ｗの適当な箇所に貼り付ける。なお、図２（ａ）では、２枚の壁保護シートＱをそれぞれの壁面Ｗに貼り付けているが、１枚の壁保護シートＱを２つの壁面Ｗにまたがるように貼ってもよい。
雑貨本体２の貼付面３を壁保護シートＱの平滑な被貼付面４に押し付けると貼付面３のミクロ吸盤が被貼付面４に吸着する。これにより生ずる吸着力によって、雑貨本体２は落下することなく壁面Ｗに貼り付けられる。
【００２２】
貼付面３を被貼付面４から簡単にはがせるので、雑貨本体２を壁保護シートＱから取外したり、貼り付けたりすることが簡単にしかも何度でもできる。また、壁保護シートＱとして再貼付自在なシートを利用するならば、生活雑貨１をコーナー部の都合のよい箇所に自由に貼り付けできる。
貼付面３の形状や大きさは特に限定しない。ただし、雑貨本体２がコーナー部から落下しないような壁面Ｗへの保持力を考慮した形状及び大きさとする。
【００２３】
コーナー部の取付けられた生活雑貨１は、図２（ｂ）に示すように、内部に物品５を収容するのに用いられる。収容する物品としては、プランターやリモコンなど各種が考えられる。
また、ゴミ箱として紙くずなどを入れてもよい。
事務机などは部屋のコーナー部に近い箇所に置かれることが多い。足元に近い床の上にゴミ箱を置くと、椅子を引いたときなどひっくり返って中のゴミが散乱しがちである。本実施例のようにコーナー部の都合のよい高さにゴミ箱があると便利である。
【００２４】
雑貨本体２は図２に示すような蓋が無いものに限らず、多様なバリエーションが考えられる。例えば、図３に示す雑貨本体２Ｂのように蓋付きでもよい。
また、雑貨本体は、引き出しなどによって内部が複数のスペースに分かれていてもよく、ヒンジで開け閉めできる扉が付いていてもよい。
なお、壁保護シートＱの形状を雑貨本体２の貼付面３と同一にするのが通常であるため、生活雑貨１を販売する時は、雑貨本体２と壁保護シートＱを同梱することが適当である。
【００２５】
《実施例２》
この実施例の生活雑貨６は、図４（ａ）に示すように壁保護シートＱと雑貨本体７とから構成され、雑貨本体７は上面に物品を載置できる棚である。
雑貨本体７は、棚板部が平面視直角二等辺三角形状であって、直角を挟む縁辺のそれぞれから垂下した側面部を有する。この側面部の壁面Ｗに当接する側に本体取付シートＰが固着されており、ミクロ吸盤を多数備えた貼付面８を形成している。
貼付面８の面積と形状は、雑貨本体７の重さや棚に載せる物品の種類などを考慮して決めればよい。
壁面Ｗに貼られた壁保護シートＱの平滑な被貼付面９に、貼付面８を押し付けるだけで雑貨本体７は、コーナー部の壁Ｗに取付けられる。
【００２６】
生活雑貨６をコーナー部に取付けた状態を図４（ｂ）に示す。棚に載せるものは大きさと重量の点で載置可能なものであれば何でもよい。
また、棚板部は直角二等辺三角形状に限らず台形状、正方形状、扇形状など何でもよい。
同じコーナー部に、適当な間隔をおいて複数の棚を設けてもよい。その場合、棚ごとに壁保護シートＱを用意するのではなく、コーナー部の上下の広い範囲にわたって１枚の壁保護シートＱを粘着させ、このシートＱの上下に複数の棚を取付けてもよい。
【００２７】
《実施例２の変形例》
実施例２は、物品を載置できる生活雑貨であって、他にもバリエーションが考えられる。例えば、図５に示す雑貨本体７Ｂもそのひとつである。雑貨本体７Ｂは、棚の厚みを大きくとり、壁面Ｗに当接しない縁辺部に任意個数の切り込み１０を設けて、これをフック代わりに使用できる。つまり、フック付き棚とでもいうべきものである。例えば、キッチンのコーナー部に取付ければ、おたまや杓文字といった調理器具１１を吊り下げることができる。
【００２８】
《実施例３》
この実施例の生活雑貨１２は、図６（ａ）に示すように壁保護シートＱと雑貨本体１３とから構成され、雑貨本体１３は物品を吊り下げられる１個以上のフックを備えた吊り下げフックである。
雑貨本体１３は、横長の帯状をしており、両端部１３ａ、１３ｂには上端部から楔型の切り込み１４が入っている。この切り込み１４をフックとして利用できる。雑貨本体１３の長手方向の中央部Ｃを内角が９０度になるように折り曲げ、貼付面１５を平滑な被添付面１６に貼り付ける。
両端部１３ａ、１３ｂのフック１４には、重さや大きさの点で可能であれば、吊り下げる物品に制限はない。図６（ｂ）の使用例では、ビニール袋（例：スーパーマーケットなどで配られるレジ袋）１７が吊り下げられている。
【００２９】
図６は一例にすぎず、雑貨本体１３の形状は特に制限はない。ただし、貼付面１５は、貼り付けられた壁面Ｗから落下しないような面積と形状を有する必要がある。
また、雑貨本体１３を厚紙などで作ると、任意の角度で簡単に折り曲げできるので、コーナー凹部の角度が直角以外であっても取付けることができる。
さらに、図６の端部１３ａと１３ｂを互いに平行になるように折り曲げると、それぞれに形成された切り込み１４に１本の横棒（図示せず）を渡すことができる。この横棒に布巾を掛けたり、ハンガーを掛けたりができる。
【００３０】
《実施例４》
この実施例の生活雑貨１８は、図７（ａ）に示すように壁保護シートＱと雑貨本体１９とから構成され、雑貨本体１９は時計である。
上記の３つの実施例の生活雑貨は、他の物品を内部に収容したり、上に載せたり、吊り下げたりするものであった。しかし、本考案の生活雑貨は、この実施例の時計のように、単品で機能するものでもよい。時計や一輪挿しなどをコーナー部に取付けると、生活を彩る室内のアクセントとなる。
壁面Ｗに貼られた壁保護シートＱの平滑な被添付面２１に、貼付面２０を押し付けるだけで雑貨本体１９は、コーナー部の壁Ｗに取付けられる。
時計の形状は２つの壁面Ｗに接着するように、互いに直角な貼付面２０を有するならば特に制限はない。時計の盤面は図７（ｂ）に示すような矩形以外にも、三角形でも円形でも何でもよい。
【００３１】
《その他の実施の形態》
上記の実施の形態では、コーナー部の壁面への貼付手段としてミクロ吸盤を利用していた。しかし、本考案で重要なのは、ビスなどを用いて壁面に加工処理を加えることなく、壁面に貼り付けるという簡単な操作によってコーナー部に取付けできることにある。したがって、ミクロ吸盤以外を貼付手段として利用してもかまわない。例えば、図８に示すように壁保護シートＱ‘の雑貨本体に接する側は、平滑面ではなく面ファスナーＱ２‘を備えてもよい。この場合、雑貨本体に固着する本体取付シートＰ‘の貼付面は、壁保護シートの面ファスナーＱ２‘に相対する面ファスナーＰ２‘を備える。つまり、貼付手段として面ファスナーを利用することにより、雑貨本体をコーナー部に取付けたり、コーナー部から取外したりができる。
【００３２】
上記の実施の形態は、すべての点で例示であって、制限的なものではない。本考案の範囲は、上記の実施の形態の説明によってではなく、実用新案登録請求の範囲によって示される。
【産業上の利用可能性】
【００３３】
壁面を傷つけることなく、部屋のコーナー部に取付けたり取外したりが自在な生活雑貨として、多くの需要が期待できる。
【符号の説明】
【００３４】
１：（実施例１の）生活雑貨
２：（実施例１の）雑貨本体
３：（実施例１の）貼付面
４：（実施例１の）被貼付面
６：（実施例２の）生活雑貨
７：（実施例２の）雑貨本体
８：（実施例２の）貼付面
９：（実施例２の）被貼付面
１２：（実施例３の）生活雑貨
１３：（実施例３の）雑貨本体
１５：（実施例３の）貼付面
１６：（実施例３の）被貼付面
１８：（実施例４の）生活雑貨
１９：（実施例４の）雑貨本体
２０：（実施例４の）貼付面
２１：（実施例４の）被貼付面
Ｗ：コーナー部の壁面
Ｐ：本体取付シート
Ｑ：壁保護シート
【図１】
0003192169.tif 000003
【図２】
0003192169.tif 000004
【図３】
0003192169.tif 000005
【図４】
0003192169.tif 000006
【図５】
0003192169.tif 000007
【図６】
0003192169.tif 000008
【図７】
0003192169.tif 000009
【図８】
0003192169.tif 000010